(57)【要約】【課題】従来タイプより小型でありながらも、諸収差が良好に補正された、４枚構成の撮像レンズを提供し、小型で良好な性能を有する撮像装置を提供する。【解決手段】物体側より順に、正の屈折力を有し物体側に凸面を向けた第１レンズと、負の屈折力を有し像側に凹面を向けた第２レンズと、正の屈折力を有する第３レンズと、負の屈折力を有し像側に凹面を向け、少なくとも像側面が非球面形状とされた第４レンズとからなり、ｆ：撮像レンズ全系の焦点距離、ｆ３：第３レンズの焦点距離、ｄ６：第３レンズと第４レンズの光軸上の空気間隔としたとき、以下の条件式（１）、（２）、０．０８＜ｆ／ｆ３＜０．４５      ・・・（１）０．０８＜ｄ６／ｆ＜０．２０      ・・・（２）を満足する撮像レンズとする。【選択図】図５
2011095301.tif 000002
【特許請求の範囲】
【請求項１】
固体撮像素子の光電変換部に被写体像を結像させるための撮像レンズであって、
物体側より順に、
正の屈折力を有し物体側に凸面を向けた第１レンズと、
負の屈折力を有し像側に凹面を向けた第２レンズと、
正の屈折力を有する第３レンズと、
負の屈折力を有し像側に凹面を向け、少なくとも像側面が非球面形状とされた第４レンズとからなり、
以下の条件式（１）、（２）を満足することを特徴とする撮像レンズ。
０．０８＜ｆ／ｆ３＜０．４５      ・・・（１）
０．０８＜ｄ６／ｆ＜０．２０      ・・・（２）
ただし、
ｆ  ：撮像レンズ全系の焦点距離
ｆ３：第３レンズの焦点距離
ｄ６：第３レンズと第４レンズの光軸上の空気間隔
【請求項２】
以下の条件式（３）、（４）を満足することを特徴とする請求項１に記載の撮像レンズ。
１５≦ν２≦３０                  ・・・（３）
１０≦ν３≦５０                  ・・・（４）
ただし、
ν２：第２レンズのアッベ数
ν３：第３レンズのアッベ数
【請求項３】
以下の条件式（４）、（５）を満足することを特徴とする請求項１又は請求項２に記載の撮像レンズ。
１．５８＜ｎ２＜１．８０          ・・・（５）
１．２０＜ｎ３＜２．００          ・・・（６）
ただし、
ｎ２：第２レンズのｄ線に対する屈折率
ｎ３：第３レンズのｄ線に対する屈折率
【請求項４】
以下の条件式（７）を満足することを特徴とする請求項１から請求項３までのいずれか一項に記載の撮像レンズ。
０．０１＜ｆ／｜ｆ３４｜＜０．２２・・・（７）
ただし、
ｆ  ：撮像レンズ全系の焦点距離
ｆ３４：第３レンズと第４レンズの合成焦点距離
【請求項５】
前記第４レンズは、物体側に凸面を向けたメニスカス形状であることを特徴とする請求項１から請求項４までのいずれか一項に記載の撮像レンズ。
【請求項６】
前記第４レンズは、両面が変曲点を有する非球面形状であることを特徴とする請求項１から請求項５までのいずれか一項に記載の撮像レンズ。
【請求項７】
前記第１レンズ、前記第２レンズ、前記第３レンズ及び前記第４レンズは、全てプラスチック材料で形成されていることを特徴とする請求項１から請求項６までのいずれか一項に記載の撮像レンズ。
【請求項８】
前記第１レンズ、前記第２レンズ、前記第３レンズ及び前記第４レンズのうち、少なくとも一つがガラス材料で形成されていることを特徴とする請求項１から請求項６までのいずれか一項に記載の撮像レンズ。
【請求項９】
請求項１から請求項８までのいずれか一項に記載の撮像レンズと、
前記撮像レンズにより結像された被写体像を光電変換する固体撮像素子と、を有することを特徴とする撮像装置。
【請求項１０】
請求項９に記載の撮像装置を有することを特徴とする携帯端末。
【発明の詳細な説明】
【技術分野】
【０００１】
本発明は、ＣＣＤ型イメージセンサ、ＣＭＯＳ型イメージセンサ等の固体撮像素子に用いられる小型の撮像レンズ、該撮像レンズを備えた撮像装置及び携帯端末に関する。
【背景技術】
【０００２】
近年、ＣＣＤ（Ｃｈａｒｇｅｄ  Ｃｏｕｐｌｅｄ  Ｄｅｖｉｃｅ）型イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等の固体撮像素子を用いた撮像素子の高性能化、小型化に伴い、撮像装置を備えた携帯電話等の携帯端末が普及しつつある。一方、これらの撮像装置に搭載される撮像レンズには、さらなる小型化、高性能化への要求が高まっている。このような用途の撮像レンズとしては、２枚あるいは３枚構成のレンズに比べ高性能化が可能であるということで、４枚構成の撮像レンズが提案されている。
【０００３】
この４枚構成の撮像レンズとして、物体側より順に正の屈折力を有する第１レンズ、負の屈折力を有する第２レンズ、正の屈折力を有する第３レンズ、正の屈折力を有する第４レンズで構成し高性能化を目指した、所謂、逆エルノスタータイプの撮像レンズが開示されている（例えば、特許文献１参照）。
【０００４】
また、物体側から順に正の屈折力を有する第１レンズ、負の屈折力を有する第２レンズ、正の屈折力を有する第３レンズ、負の屈折力を有する第４レンズで構成し撮像レンズ全長（撮像レンズ全系の最も物体側のレンズ面から像側焦点までの光軸上の距離）の小型化を目指した、所謂、テレフォトタイプの撮像レンズが開示されている（例えば、特許文献２参照）。
【先行技術文献】
【特許文献】
【０００５】
【特許文献１】特開２００４−３４１０１３号公報
【特許文献２】特開２００２−３６５５３０号公報
【発明の概要】
【発明が解決しようとする課題】
【０００６】
しかしながら、上記特許文献１に記載の撮像レンズは、逆エルノスタータイプであるため、第４レンズが正レンズであり、テレフォトタイプのように第４レンズが負レンズの場合に比べ、光学系の主点位置が像側になりバックフォーカスが長くなるため、小型化には不利である。さらに、４枚のレンズのうち、負の屈折力を有するレンズは１枚であり、ペッツバール和の補正が困難で、画像周辺部では良好な性能を確保できていない。
【０００７】
また、上記特許文献２に記載の撮像レンズは、撮影画角が狭い事に加え収差補正が不十分で、さらにレンズ全長を短縮化すると、性能の劣化による撮像素子の高画素化に対応が困難となる問題がある。
【０００８】
本発明は、このような問題点に鑑みてなされたものであり、従来タイプより小型でありながらも、諸収差が良好に補正された、４枚構成の撮像レンズを提供し、該撮像レンズを備えることにより小型で良好な性能を有する撮像装置及び該撮像装置を備えた携帯端末を提供することを目的とするものである。
【０００９】
ここで、小型の撮像レンズの尺度であるが、本発明では下式（８）を満たすレベルの小型化を目指している。この範囲を満たすことで、撮像装置全体の小型軽量化が可能となる。
Ｌ／２Ｙ＜１．１                  ・・・（８）
ただし、
Ｌ  ：撮像レンズ全系の最も物体側のレンズ面から像側焦点までの光軸上の距離
２Ｙ：固体撮像素子の撮像面対角線長（固体撮像素子の矩形実効画素領域の対角線長）
ここで、像側焦点とは撮像レンズに光軸と平行な平行光線が入射した場合の像点をいう。
【００１０】
なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。また、下式（８）′、
Ｌ／２Ｙ＜１．０                  ・・・（８）′
の範囲であれば、より望ましい。
【課題を解決するための手段】
【００１１】
上記の目的は、下記の構成により達成される。
【００１２】
請求項１に記載の撮像レンズは、固体撮像素子の光電変換部に被写体像を結像させるための撮像レンズであって、物体側より順に、正の屈折力を有し物体側に凸面を向けた第１レンズと、負の屈折力を有し像側に凹面を向けた第２レンズと、正の屈折力を有する第３レンズと、負の屈折力を有し像側に凹面を向け、少なくとも像側面が非球面形状とされた第４レンズと、からなり、以下の条件式（１）、（２）、
０．０８＜ｆ／ｆ３＜０．４５      ・・・（１）
０．０８＜ｄ６／ｆ＜０．２０      ・・・（２）
ただし、
ｆ  ：撮像レンズ全系の焦点距離
ｆ３：第３レンズの焦点距離
ｄ６：第３レンズと第４レンズの光軸上での空気間隔
を満足することを特徴とする。
【００１３】
小型で収差の良好に補正された撮像レンズを得るための、本発明の基本構成は、物体側より順に、正の屈折力を有し物体側に凸面を向けた第１レンズ、負の屈折力を有し像側に凹面を向けた第２レンズ、正の屈折力を有する第３レンズ、像側に凹面を向けた負の屈折力を有する第４レンズからなる。この構成は必然的に第１レンズ、第２レンズ、第３レンズの合成された屈折力が正となるので、この第１レンズ、第２レンズ、第３レンズからなる正のレンズ群と、その像側に配置された負の第４レンズとでいわゆるテレフォトタイプのレンズ構成となり、撮像レンズ全長の小型化には有利な構成となっている。
【００１４】
さらに、４枚構成のうち２枚を負レンズとすることで、発散作用を有する面を多くしてペッツバール和の補正を容易とし、画面周辺部まで良好な結像性能を確保した撮像レンズを得ることが可能となる。
【００１５】
条件式（１）は第３レンズの焦点距離を適切に設定するための条件式である。条件式（１）の値が下限を上回ることで、第３レンズの屈折力を適度に維持することができるため、射出瞳位置を撮像面からより遠くに配置することができ、固体撮像素子の撮像面周辺部に結像する光束の主光線入射角度（主光線と光軸の成す角度）を小さく抑えることができ、所謂テレセントリック特性を確保することができる。結果として実質的な開口効率が減少する現象（シェーディング）を抑制することができる。
【００１６】
一方、上限を下回ることで、第３レンズの屈折力が必要以上に大きくなりすぎず、光学系の主点が物体側に配置され、レンズ全長を短縮化することができる。
【００１７】
なお、条件式（１）は下式（１）′、
０．０９＜ｆ／ｆ３＜０．４２        ・・・（１）′
の範囲内であれば、より望ましい。
【００１８】
条件式（２）は、第３レンズと第４レンズの光軸上での面間隔と撮像レンズの焦点距離の比を規定している。下限を上回ることによって、第３レンズと第４レンズの間隔を適度に離間させることができ、第４レンズの物体側の面において像高ごとに異なった場所を光束が通過することになるので、第４レンズ物体側面を非球面にすることによって、有効に収差を補正することができる。一方、上限を下回ることによって、第３レンズと第４レンズの間隔が広がりすぎるのを防ぎ、撮像レンズの全長を抑えることができる。
【００１９】
なお、条件式（２）は下式（２）′、
０．０９＜ｄ６／ｆ＜０．１９        ・・・（２）′
の範囲内であれば、より望ましい。
【００２０】
また、第３レンズと第４レンズを適度に離間させることにより、第３レンズの像側面と第４レンズの物体側面が接近しすぎることがなくなるので、第３レンズと第４レンズの間に、ゴースト等の不要光の防止用遮光部材を挿入するためのスペースの確保が容易となる。さらに、オートフォーカスやマクロ切り替え機能等で焦点位置合わせをしようとした場合、通常はレンズ群全系を光軸方向に移動させて行う全体繰り出しが行われるが、第３レンズと第４レンズのスペースが適度に確保されていることによって、レンズ群の一部分、例えば第１レンズから第３レンズまでを光軸方向に移動させて焦点位置合わせを行う部分群繰り出しが可能となる。この部分群繰り出しにすると、移動群がレンズ全体ではなく一部分でよくなるため、駆動機構を簡略化でき、撮像装置全体の小型軽量化を達成することができる。
【００２１】
請求項２に記載の撮像レンズは、請求項１に記載の発明において、以下の条件式（３）、（４）、
１５≦ν２≦３０                    ・・・（３）
１０≦ν３≦５０                    ・・・（４）
ただし、
ν２：第２レンズのアッベ数
ν３：第３レンズのアッベ数
を満足することを特徴とする。
【００２２】
条件式（３）、（４）は、第２レンズと第３レンズのアッベ数を適切に設定し、色収差を良好に補正するための条件を規定する。負の第２レンズに比較的分散の大きな材料を使用することにより、軸上色収差を良好に補正することができる反面、第２レンズの像側面が強い発散面であるため、周辺の光線が大きく跳ね上げられ、周辺での倍率色収差が大きくなってしまう。そのため、第３レンズにも比較的分散の大きな材料を使用することで、第２レンズで発生した周辺の倍率色収差を第３レンズで補正することが可能となる。
【００２３】
ところが、ν２、ν３がそれぞれ条件式（３）、（４）の下限を下回ってしまうと、第２レンズで発生した倍率色奴差を第３レンズで補正しきれず、結果的に倍率色収差が大きくなってしまう。一方、ν２、ν３がそれぞれ条件式（３）、（４）の上限を上回ってしまうと、倍率色収差は小さく抑えることができるが、軸上色収差が補正不十分となってしまう。そこで、かかる不具合を回避すべく、ν２、ν３はそれぞれ条件式（３）、（４）の範囲内とすることが好ましい。
【００２４】
なお、条件式（３）、（４）は、下式（３）′、（４）′、
２０≦ν２≦２７                    ・・・（３）′
１２≦ν３≦４８                    ・・・（４）′
の範囲内であれば、より望ましい。
【００２５】
請求項３に記載の撮像レンズは、請求項１又は請求項２に記載の発明において、以下の条件式（４）、（５）、
１．５８＜ｎ２＜１．８０            ・・・（５）
１．２０＜ｎ３＜２．００            ・・・（６）
ただし、
ｎ２：第２レンズのｄ線に対する屈折率
ｎ３：第３レンズのｄ線に対する屈折率
を満足することを特徴とする。
【００２６】
条件式（５）、（６）は、撮像レンズ全系の色収差、像面湾曲を良好に補正するための条件を規定する。ｎ２、ｎ３がそれぞれ条件式（５）、（６）の下限を上回るようにすることで、比較的分散の大きな第２レンズ、及び第３レンズの屈折力を適度に維持することができ、色収差、像面湾曲を良好に補正することができる。一方で、ｎ２、ｎ３がそれぞれ条件式（５）、（６）の上限を下回るようにすることで、入手しやすい硝材で構成することができる。
【００２７】
なお、条件式（５）、（６）は、下式（５）′、（６）′
１．６０＜ｎ２＜１．８０            ・・・（５）′
１．５３＜ｎ３＜１．９６            ・・・（６）′
の範囲内であれば、より望ましい。
【００２８】
請求項４に記載の撮像レンズは、請求項１から請求項３までのいずれかに記載の発明において、以下の条件式（７）、
０．０１＜ｆ／｜ｆ３４｜＜０．２２  ・・・（７）
ただし、
ｆ    ：撮像レンズ全系の焦点距離
ｆ３４：第３レンズと第４レンズの合成焦点距離
を満足することを特徴とする。
【００２９】
条件式（７）は第３レンズと第４レンズの合成焦点距離を適切に設定するための条件式である。条件式（７）の下限を上回るようにすることで、像面湾曲および歪曲収差を良好に補正することができる。一方、上限を下回るようにすることで、撮像レンズ全系の合成主点をより物体側へ配置することができ、撮像レンズ全長を短くすることができる。
【００３０】
なお、条件式（７）は、下式（７）′、
０．０２＜ｆ／｜ｆ３４｜＜０．２０  ・・・（７）′
の範囲内であれば、より望ましい。
【００３１】
請求項５に記載の撮像レンズは、請求項１から請求項４までのいずれかに記載の発明において、前記第４レンズは、物体側に凸面を向けたメニスカス形状であることを特徴とする。
【００３２】
第４レンズを物体側に凸面を向けたメニスカス形状とすることで、第４レンズ物体側面での像面湾曲の補正を良好に行いつつも、第４レンズの屈折力が必要以上に強くならないために、製造時の位置ずれによる像面変動が低減され、製造安定性に優れた撮像レンズを得ることができる。
【００３３】
請求項６に記載の撮像レンズは、請求項１から請求項５までのいずれかに記載の発明において、前記第４レンズは、両面が変曲点を有する非球面形状であることを特徴とする。ここで、「変曲点」とは有効半径内でのレンズ断面形状の曲線において、非球面頂点の接平面が光軸と垂直な平面となるような非球面上の点のことである。
【００３４】
最も像側に配置された第４レンズの両面を非球面とすることで、画面周辺部での諸収差を良好に補正することができる。さらに、光軸から周辺に行くに従って負の屈折力が弱くなり、さらに像側に変曲点を有する非球面形状とすることで、像側光束のテレセントリック特性が確保しやすくなる。また、第４レンズの物体面側も変曲点を有する非球面形状とすることで、像側光束のテレセントリック特性の確保をさらに容易にすることができる。
【００３５】
請求項７に記載の撮像レンズは、請求項１から請求項６までのいずれかに記載の発明において、前記第１レンズ、前記第２レンズ、前記第３レンズ及び前記第４レンズは、全てプラスチック材料で形成されていることを特徴とする。
【００３６】
近年では、固体撮像装置全体の小型化を目的とし、同じ画素数の固体撮像素子であっても、画素ピッチが小さく、結果として撮像面サイズの小さいものが開発されている。このような撮像面サイズの小さい固体撮像素子向けの撮像レンズは、全系の焦点距離を比較的短くする必要があるため、各レンズの曲率半径や外径がかなり小さくなってしまう。従って、手間のかかる研磨加工により製造するガラスレンズと比較すれば、全てのレンズを、射出成形により製造されるプラスチックレンズで構成することにより、曲率半径や外径の小さなレンズであっても安価に大量生産が可能となる。また、プラスチックレンズはプレス温度を低くできることから、成形金型の損耗を抑える事ができ、その結果、成形金型の交換回数やメンテナンス回数を減少させ、コスト低減を図ることができる。
【００３７】
請求項８に記載の撮像レンズは、請求項１から請求項６までのいずれかに記載の発明において、前記第１レンズ、前記第２レンズ、前記第３レンズ及び前記第４レンズのうち、少なくとも一つがガラス材料で形成されていることを特徴とする。
【００３８】
少なくとも１枚のレンズを、ガラス材料で形成することにより、撮像レンズ全系での温度変化時の像点位置変動を小さくすることができる。特に屈折力の最も強い第１レンズをガラス材料で形成すると、温度変化時の像点位置変動を小さくするにはより望ましく、また、プラスチックレンズを外部に露出させずに構成できるので、第１レンズへの傷付等の問題を回避することができる。
【００３９】
請求項９に記載の撮像装置は、請求項１から請求項８までのいずれかに記載の撮像レンズと、前記撮像レンズにより結像された被写体像を光電変換する固体撮像素子と、を有することを特徴とする。これにより、小型で良好な撮影性能を有する撮像装置を提供することが可能となる。
【００４０】
請求項１０に記載の携帯端末は、請求項９に記載の撮像装置を有することを特徴とする。これにより、小型で良好な撮影性能を有する撮像装置を備えた携帯端末を提供することが可能となる。
【発明の効果】
【００４１】
本発明によれば、小型でありながらも、諸収差が良好に補正された、４枚構成の撮像レンズを提供することが可能となり、該撮像レンズを備えることにより小型で良好な性能を有する撮像装置及び該撮像装置を備えた携帯端末を提供することが可能となる。
【図面の簡単な説明】
【００４２】
【図１】本実施の形態に係る撮像装置の斜視図である。
【図２】本実施の形態に係る撮像装置の撮像レンズの光軸に沿った断面を模式的に示した図である。
【図３】本実施の形態に係る撮像装置を備えた携帯端末の一例である携帯電話機の外観図である。
【図４】携帯電話機の制御ブロックの一例を示す図である。
【図５】実施例１の撮像レンズの断面図である。
【図６】実施例１の撮像レンズの収差図（球面収差、非点収差、歪曲収差、メリディオナルコマ収差）である。
【図７】実施例２の撮像レンズの断面図である。
【図８】実施例２の撮像レンズの収差図（球面収差、非点収差、歪曲収差、メリディオナルコマ収差）である。
【図９】実施例３の撮像レンズの断面図である。
【図１０】実施例３の撮像レンズの収差図（球面収差、非点収差、歪曲収差、メリディオナルコマ収差）である。
【図１１】実施例４の撮像レンズの断面図である。
【図１２】実施例４の撮像レンズの収差図（球面収差、非点収差、歪曲収差、メリディオナルコマ収差）である。
【図１３】実施例５の撮像レンズの断面図である。
【図１４】実施例５の撮像レンズの収差図（球面収差、非点収差、歪曲収差、メリディオナルコマ収差）である。
【図１５】実施例６の撮像レンズの断面図である。
【図１６】実施例６の撮像レンズの収差図（球面収差、非点収差、歪曲収差、メリディオナルコマ収差）である。
【図１７】実施例７の撮像レンズの断面図である。
【図１８】実施例７の撮像レンズの収差図（球面収差、非点収差、歪曲収差、メリディオナルコマ収差）である。
【図１９】実施例８の撮像レンズの断面図である。
【図２０】実施例８の撮像レンズの収差図（球面収差、非点収差、歪曲収差、メリディオナルコマ収差）である。
【発明を実施するための形態】
【００４３】
以下、実施の形態により本発明を詳しく説明するが、本発明はこれに限定されるものではない。
【００４４】
図１は、本実施の形態に係る撮像装置５０の斜視図であり、図２は、本実施の形態に係る撮像装置５０の撮像レンズの光軸に沿った断面を模式的に示した図である。
【００４５】
図１に示すように、撮像装置５０は、撮像素子の光電変換部に被写体像を結像させる撮像レンズ１０と、遮光部材からなる鏡筒としての筐体５３と、撮像素子５１を保持する支持基板５２ａと、その電気信号の送受を行う外部接続用端子（外部接続端子とも称す）５４を有するフレキシブルプリント基板５２ｂとを備え、これらが一体的に形成されている。
【００４６】
図２に示すように、ＣＭＯＳ型の撮像素子５１はその受光側の面の中央部に画素（光電変換素子）が２次元的に配置された、受光部としての光電変換部５１ａが形成され、その周囲には信号処理回路５１ｂが形成されている。この信号処理回路５１ｂは、各画素を順次駆動し信号電荷を得る駆動回路部と、各信号電荷をデジタル信号に変換するＡ／Ｄ変換部と、このデジタル信号を用い画像信号出力を形成する信号処理部等から構成されている。
【００４７】
撮像素子５１の受光側の面の外縁近傍には、不図示の多数のパッドが設けられており、ボンディングワイヤＷを介して支持基板５２ａに接続されている。撮像素子５１は、光電変換部５１ａからの信号電荷をデジタルＹＵＶ信号等の画像信号に変換し、ボンディングワイヤＷを介して支持基板５２ａ上の所定の回路に出力する。Ｙは輝度信号、Ｕ（＝Ｒ−Ｙ）は赤と輝度信号との色差信号、Ｖ（＝Ｂ−Ｙ）は青と輝度信号との色差信号である。
【００４８】
なお、撮像素子は、上述のＣＭＯＳ型のイメージセンサに限るものでなく、ＣＣＤ型のイメージセンサ等の他のものを適用したものでもよい。
【００４９】
基板５２は、その一方の面で撮像素子５１と筐体５３を支持する硬質の支持基板５２ａと支持基板５２ａの他方の面（撮像素子５１と反対側の面）にその一端部が接続されたフレキシブルプリント基板５２ｂとで構成されている。支持基板５２ａは、表裏両面に多数の信号伝達用パッドが設けられており、一方の面でボンディングワイヤＷを介して撮像素子５１と接続され、他方の面でフレキシブルプリント基板５２ｂと接続されている。
【００５０】
フレキシブルプリント基板５２ｂは、図１に示すように、一端部が支持基板５２ａと接続され、他方の端部に設けられた外部接続端子５４を介して支持基板５２ａと不図示の外部回路（例えば、撮像装置を実装した上位装置が有する制御回路）とを接続し、外部回路から撮像素子５１を駆動するための電圧やクロック信号の供給を受けたり、また、デジタルＹＵＶ信号を外部回路へ出力したりすることを可能としている。更に、フレキシブルプリント基板５２ｂは、可撓性を有し中間部が変形して支持基板５２ａに対し外部接続端子５４の向きや配置に自由度を与えている。
【００５１】
図２に示したように、筐体５３は、支持基板５２ａの撮像素子５１側の面に撮像素子５１を覆うように固定配置されている。即ち、筐体５３は、撮像素子５１側は撮像素子５１を囲むように広く開口されて支持基板５２ａに当接固定され、他端部が小開口を有して形成されている。
【００５２】
筐体５３の内部には、撮像レンズ１０と撮像素子５１との間に赤外光カットフィルタＦが固定配置されている。
【００５３】
撮像レンズ１０は、正の屈折力を有する第１レンズＬ１と、負の屈折力を有する第２レンズＬ２と、正の屈折力を有する第３レンズＬ３と、負の屈折力を有する第４レンズＬ４とを有している。なお、図１、図２では紙面上側を物体側、紙面下側を像側としている。
【００５４】
撮像レンズ１０を構成する各レンズＬ１〜Ｌ４は、鏡枠５５に保持されている。筐体５３は、この鏡枠５５及び鏡枠５５に保持された撮像レンズ１０を内包し、鏡枠５５はその外周で筐体５３と嵌合されている。
【００５５】
更に、図示していないが、各レンズＬ１〜Ｌ４の間やレンズＬ４と赤外光カットフィルタＦの間に、不要光をカットする固定絞りを配置することが好ましい。光線経路の外側に矩形の固定絞りを配置することで、ゴースト、フレアの発生を抑えることができる。
【００５６】
図３は、本実施の形態に係る撮像装置５０を備えた携帯端末の一例である携帯電話機１００の外観図である。
【００５７】
同図に示す携帯電話機１００は、表示画面Ｄ１及びＤ２を備えたケースとしての上筐体７１と、入力部である操作ボタン６０を備えた下筐体７２とがヒンジ７３を介して連結されている。撮像装置５０は、上筐体７１内の表示画面Ｄ２の下方に内蔵されており、撮像装置５０が上筐体７１の外表面側から光を取り込めるよう配置されている。
【００５８】
なお、この撮像装置の位置は上筐体７１内の表示画面Ｄ２の上方や側面に配置してもよい。また携帯電話機は折りたたみ式に限るものではないのは、勿論である。
【００５９】
図４は、携帯電話機１００の制御ブロックの一例を示す図である。
【００６０】
同図に示すように、撮像装置５０は、フレキシブルプリント基板５２ｂを介し、携帯電話機１００の制御部１０１と接続され、輝度信号や色差信号等の画像信号を制御部１０１へ出力する。
【００６１】
一方、携帯電話機１００は、各部を統括的に制御すると共に、各処理に応じたプログラムを実行する制御部（ＣＰＵ）１０１と、番号等を指示入力するための入力部である操作ボタン６０と、所定のデータ表示や撮像した画像を表示する表示画面Ｄ１、Ｄ２と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１により実行される各種処理プログラムやデータ、若しくは処理データ、撮像装置５０による画像データ等を一時的に格納したり、作業領域として用いられる一時記憶部（ＲＡＭ）９２を備えている。
【００６２】
また、撮像装置５０から入力された画像信号は、携帯電話機１００の制御部１０１により、不揮発性記憶部（フラッシュメモリ）９３に記憶されたり、或いは表示画面Ｄ１、Ｄ２に表示されたり、更には、無線通信部８０を介し画像情報として外部へ送信されるようになっている。なお、不図示であるが携帯電話機１００には、音声を入出力するマイク及びスピーカ等を有している。
【実施例】
【００６３】
以下、本発明の撮像レンズの実施例を示す。各実施例に使用する記号は下記の通りである。
ｆ  ：撮像レンズ全系の焦点距離
ｆＢ：バックフォーカス
Ｆ  ：Ｆナンバー
２Ｙ：固体撮像素子の撮像面対角線長
ＥＮＴＰ：入射瞳位置（第１レンズ物体側面から入射瞳位置までの光軸上の距離）
ＥＸＴＰ：射出瞳位置（撮像面から射出瞳位置までの光軸上の距離）
Ｈ１：前側主点位置（第１レンズ物体側面から前側主点位置までの光軸上の距離）
Ｈ２：後側主点位置（第４レンズ像側面から後側主点位置までの光軸上の距離）
Ｒ  ：曲率半径
Ｄ  ：軸上面間隔
Ｎｄ：レンズ材料のｄ線に対する屈折率
νｄ：レンズ材料のアッベ数
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００６４】
【数１】
2011095301.tif 000003
【００６５】
ただし、
Ａｉ：ｉ次の非球面係数
Ｒ  ：曲率半径
Ｋ  ：円錐定数
また、これ以降（レンズデータを含む）において、１０のべき乗数（たとえば２．５×１０−０２）をＥ（たとえば２．５Ｅ−０２）を用いて表すものとする。
【００６６】
（実施例１）
実施例１の撮像レンズの全体緒元を、以下に示す。
ｆ  ＝４．２４ｍｍ
ｆＢ＝０．４４ｍｍ
Ｆ  ＝２．８
２Ｙ＝５．７４４ｍｍ
ＥＮＴＰ＝０ｍｍ
ＥＸＴＰ＝−２．２９ｍｍ
Ｈ１＝−２．３４ｍｍ
Ｈ２＝−３．８ｍｍ
実施例１の撮像レンズの面データを以下に示す。
面番号          Ｒ(mm)      Ｄ(mm)      Ｎｄ      νｄ    有効半径(mm)
１（絞り）      ∞        -0.12                           0.76
２＊           1.672       0.83     1.54470     56.2      0.77
３＊          -3.940       0.05                           0.85
４＊          -6.662       0.40     1.63200     23.4      0.87
５＊           2.345       0.46                           0.92
６＊           7.950       0.50     1.63200     23.4      1.18
７＊         -44.568       0.78                           1.43
８＊           2.302       0.78     1.54470     56.2      2.17
９＊           1.433       0.32                           2.49
10              ∞         0.30     1.51700     64.1      2.78
11              ∞                                        2.85
非球面係数を以下に示す。
第２面
K=-0.27367E+00,A4=0.24027E-02,A6=-0.43125E-02,A8=0.36469E-02,A10=-0.36983E-02
第３面
K=-0.12078E+02,A4=0.36671E-01,A6=0.13047E-02,A8=0.37858E-01,A10=-0.93465E-02
第４面
K=-0.30000E+02,A4=-0.22439E-02,A6=0.75056E-01,A8=0.19137E-01,A10=-0.18570E-01
第５面
K=-0.12372E+02,A4=0.69180E-01,A6=0.12489E-01,A8=0.24505E-01
第６面
K=0.87369E+01,A4=-0.70738E-01,A6=0.46121E-01,A8=-0.29412E-01,A10=0.29118E-01,
A12=-0.33990E-01,A14=0.17733E-01,A16=-0.40471E-02
第７面
K=0.30000E+02,A4=-0.96358E-01,A6=0.95006E-01,A8=-0.52365E-01,A10=0.18008E-01,
A12=0.24193E-02,A14=-0.50332E-02,A16=0.11938E-02
第８面
K=-0.68144E+01,A4=-0.16446E+00,A6=0.44473E-01,A8=-0.41192E-02,A10=0.49516E-04,
A12=-0.23780E-05,A14=0.29831E-05,A16=-0.20429E-06
第９面
K=-0.50628E+01,A4=-0.76852E-01,A6=0.16912E-01,A8=-0.30874E-02,A10=0.32960E-03,
A12=-0.13651E-04,A14=-0.30023E-05,A16=0.42029E-06
実施例１の撮像レンズの単レンズデータを以下に示す。
レンズ    始面    焦点距離(mm)
１       ２        2.273
２       ４       -2.698
３       ６       10.714
４       ８      -10.217
実施例１においては、全てのレンズはプラスチック材料から形成されている。
【００６７】
図５は、実施例１の撮像レンズの断面図である。図中Ｌ１は第１レンズ、Ｌ２は第２レンズ、Ｌ３は第３レンズ、Ｌ４は第４レンズ、Ｓは開口絞り、Ｉは撮像面を示す。また、Ｆは光学的ローパスフィルタやＩＲカットフィルタ、固体撮像素子のシールガラス等を想定した平行平板である。第４レンズＬ４は、両面とも変曲点を有する非球面形状に形成されている。
【００６８】
図６は、実施例１の撮像レンズの収差図（球面収差、非点収差、歪曲収差、メリディオナルコマ収差）である。尚、以降の収差図において、球面収差図及びメリディオナルコマ収差図では、実線がｄ線、点線がｇ線を表し、非点収差図では、実線がサジタル像面、点線がメリディオナル像面をあらわすものとする。
【００６９】
（実施例２）
実施例２の撮像レンズの全体緒元を以下に示す。
ｆ  ＝４．７ｍｍ
ｆＢ＝０．６６ｍｍ
Ｆ  ＝２．８
２Ｙ＝５．７４４ｍｍ
ＥＮＴＰ＝０ｍｍ
ＥＸＴＰ＝−２．４６ｍｍ
Ｈ１＝−２．３９ｍｍ
Ｈ２＝−４．０５ｍｍ
実施例２の撮像レンズの面データを以下に示す。
面番号          Ｒ(mm)      Ｄ(mm)      Ｎｄ      νｄ    有効半径(mm)
１（絞り）      ∞        -0.12                           0.87
２＊           1.636       0.89     1.55180     64.4      0.93
３＊          -5.273       0.05                           0.94
４＊         -23.627       0.40     1.70000     30.0      0.94
５＊           2.137       0.54                           0.95
６＊          54.226       0.48     1.63200     23.4      1.19
７＊         -11.979       0.79                           1.45
８＊           2.605       0.76     1.54470     56.2      2.15
９＊           1.750       0.28                           2.45
10              ∞         0.30     1.51700     64.1      2.73
11              ∞                                        2.80
非球面係数を以下に示す。
第２面
K=-0.17099E+00,A4=0.69269E-02,A6=-0.53070E-02,A8=0.10315E-01,A10=-0.17085E-02
第３面
K=-0.13281E+02,A4=0.40747E-01,A6=0.56293E-02,A8=0.27017E-01,A10=0.21236E-02
第４面
K=-0.30830E+02,A4=-0.17345E-01,A6=0.57007E-01,A8=0.20647E-01,A10=-0.16190E-01
第５面
K=-0.10735E+02,A4=0.76752E-01,A6=-0.25281E-03,A8=0.33430E-01
第６面
K=-0.50000E+02,A4=-0.71074E-01,A6=0.45608E-01,A8=-0.25541E-01,A10=0.31766E-01,
A12=-0.32172E-01,A14=0.18050E-01,A16=-0.50913E-02
第７面
K=-0.50000E+02,A4=-0.99904E-01,A6=0.88836E-01,A8=-0.46793E-01,A10=0.19461E-01,
A12=0.22525E-02,A14=-0.52009E-02,A16=0.11026E-02
第８面
K=-0.32832E+01,A4=-0.16200E+00,A6=0.44503E-01,A8=-0.43942E-02,A10=0.27697E-04,
A12=0.37514E-05,A14=0.48035E-05,A16=-0.57935E-06
第９面
K=-0.55128E+01,A4=-0.72853E-01,A6=0.15805E-01,A8=-0.29989E-02,A10=0.34892E-03,
A12=-0.15971E-04,A14=-0.23891E-05,A16=0.31722E-06
実施例２の撮像レンズの単レンズデータを以下に示す。
レンズ    始面    焦点距離(mm)
１       ２        2.370
２       ４       -2.782
３       ６       15.569
４       ８      -14.263
実施例２において、第１レンズ、第２レンズはガラス材料、第３レンズ、第４レンズは、プラスチック材料から形成されている。
【００７０】
図７は、実施例２の撮像レンズの断面図である。図中Ｌ１は第１レンズ、Ｌ２は第２レンズ、Ｌ３は第３レンズ、Ｌ４は第４レンズ、Ｓは開口絞り、Ｉは撮像面を示す。また、Ｆは光学的ローパスフィルタやＩＲカットフィルタ、固体撮像素子のシールガラス等を想定した平行平板である。第４レンズＬ４は、両面とも変曲点を有する非球面形状に形成されている。
【００７１】
図８は、実施例２の撮像レンズの収差図（球面収差、非点収差、歪曲収差、メリディオナルコマ収差）である。
【００７２】
（実施例３）
実施例３の撮像レンズの全体緒元を以下に示す。
ｆ  ＝４．２４ｍｍ
ｆＢ＝０．４６ｍｍ
Ｆ  ＝２．８
２Ｙ＝５．７４４ｍｍ
ＥＮＴＰ＝０ｍｍ
ＥＸＴＰ＝−２．３４ｍｍ
Ｈ１＝−２．１７ｍｍ
Ｈ２＝−３．７８ｍｍ
実施例３の撮像レンズの面データを以下に示す。
面番号          Ｒ(mm)      Ｄ(mm)      Ｎｄ      νｄ    有効半径(mm)
１（絞り）      ∞        -0.12                           0.76
２＊           1.665       0.79     1.54470     56.2      0.77
３＊          -4.243       0.05                           0.85
４＊          -8.674       0.40     1.63200     23.4      0.87
５＊           2.261       0.48                           0.91
６＊           6.895       0.48     1.63200     23.4      1.15
７＊          56.800       0.76                           1.43
８＊           2.492       0.82     1.54470     56.2      2.15
９＊           1.623       0.31                           2.48
10              ∞         0.30     1.51700     64.1      2.78
11              ∞                                        2.85
非球面係数を以下に示す。
第２面
K=-0.26423E+00,A4=0.29154E-02,A6=-0.81824E-02,A8=0.58165E-02,A10=-0.53600E-02
第３面
K=-0.10876E+02,A4=0.34040E-01,A6=-0.46085E-03,A8=0.28090E-01,A10=0.18203E-02
第４面
K=-0.30000E+02,A4=-0.46053E-02,A6=0.71013E-01,A8=0.25800E-01,A10=-0.17365E-01
第５面
K=-0.12762E+02,A4=0.76821E-01,A6=0.17518E-02,A8=0.33754E-01
第６面
K=-0.51145E+01,A4=-0.72529E-01,A6=0.37544E-01,A8=-0.30305E-01,A10=0.31416E-01,
A12=-0.32313E-01,A14=0.17444E-01,A16=-0.59919E-02
第７面
K=-0.66643E+01,A4=-0.99843E-01,A6=0.88369E-01,A8=-0.49717E-01,A10=0.18082E-01,
A12=0.19953E-02,A14=-0.50998E-02,A16=0.12513E-02
第８面
K=-0.40946E+01,A4=-0.16551E+00,A6=0.44166E-01,A8=-0.41676E-02,A10=0.45528E-04,
A12=0.11175E-05,A14=0.27957E-05,A16=-0.21133E-06
第９面
K=-0.47998E+01,A4=-0.75327E-01,A6=0.16219E-01,A8=-0.30072E-02,A10=0.33485E-03,
A12=-0.15503E-04,A14=-0.30639E-05,A16=0.44207E-06
実施例３の撮像レンズの単レンズデータを以下に示す。
レンズ    始面    焦点距離(mm)
１       ２        2.303
２       ４       -2.798
３       ６       12.371
４       ８      -12.829
実施例３において、全てのレンズはプラスチック材料から形成されている。
【００７３】
図９は、実施例３の撮像レンズの断面図である。図中Ｌ１は第１レンズ、Ｌ２は第２レンズ、Ｌ３は第３レンズ、Ｌ４は第４レンズ、Ｓは開口絞り、Ｉは撮像面を示す。また、Ｆは光学的ローパスフィルタやＩＲカットフィルタ、固体撮像素子のシールガラス等を想定した平行平板である。第４レンズＬ４は、両面とも変曲点を有する非球面形状に形成されている。
【００７４】
図１０は、実施例３の撮像レンズの収差図（球面収差、非点収差、歪曲収差、メリディオナルコマ収差）である。
【００７５】
（実施例４）
実施例４の撮像レンズの全体緒元を以下に示す。
ｆ  ＝４．８４ｍｍ
ｆＢ＝０．７３ｍｍ
Ｆ  ＝２．８
２Ｙ＝５．７４４ｍｍ
ＥＮＴＰ＝０ｍｍ
ＥＸＴＰ＝−２．５２ｍｍ
Ｈ１＝−２．３６ｍｍ
Ｈ２＝−４．１１ｍｍ
実施例４の撮像レンズの面データを以下に示す。
面番号          Ｒ(mm)      Ｄ(mm)      Ｎｄ      νｄ    有効半径(mm)
１（絞り）      ∞        -0.12                           0.86
２＊           1.652       0.88     1.54470     56.2      0.95
３＊          -7.456       0.05                           0.95
４＊         231.114       0.40     1.63200     23.4      0.96
５＊           1.995       0.59                           0.97
６＊         -12.981       0.49     1.63200     23.4      1.20
７＊          -4.814       0.86                           1.41
８＊           2.626       0.62     1.54470     56.2      2.16
９＊           1.640       0.30                           2.39
10              ∞         0.30     1.51700     64.1      2.66
11              ∞                                        2.73
非球面係数を以下に示す。
第２面
K=-0.12260E+00,A4=0.91898E-02,A6=-0.49801E-02,A8=0.14823E-01,A10=-0.14094E-02
第３面
K=-0.22226E+02,A4=0.44897E-01,A6=0.16310E-01,A8=0.26920E-01,A10=0.57205E-02
第４面
K=-0.30000E+02,A4=-0.19884E-01,A6=0.51421E-01,A8=0.22796E-01,A10=-0.19671E-01
第５面
K=-0.92631E+01,A4=0.83925E-01,A6=-0.51768E-02,A8=0.21114E-01
第６面
K=-0.30000E+02,A4=-0.65326E-01,A6=0.51774E-01,A8=-0.22267E-01,A10=0.32750E-01,
A12=-0.32690E-01,A14=0.17731E-01,A16=-0.47655E-02
第７面
K=-0.27832E+02,A4=-0.11120E+00,A6=0.91313E-01,A8=-0.43370E-01,A10=0.20431E-01,
A12=0.22547E-02,A14=-0.53366E-02,A16=0.10651E-02
第８面
K=-0.96277E+01,A4=-0.15929E+00,A6=0.44314E-01,A8=-0.42873E-02,A10=0.40793E-04,
A12=0.27945E-05,A14=0.38510E-05,A16=-0.42888E-06
第９面
K=-0.71405E+01,A4=-0.81296E-01,A6=0.16871E-01,A8=-0.28776E-02,A10=0.31984E-03,
A12=-0.15917E-04,A14=-0.29409E-05,A16=0.44769E-06
実施例４の撮像レンズの単レンズデータを以下に示す。
レンズ    始面    焦点距離(mm)
１       ２        2.570
２       ４       -3.187
３       ６       11.832
４       ８      -10.293
実施例４において、全てのレンズはプラスチック材料から形成されている。
【００７６】
図１１は、実施例４の撮像レンズの断面図である。図中Ｌ１は第１レンズ、Ｌ２は第２レンズ、Ｌ３は第３レンズ、Ｌ４は第４レンズ、Ｓは開口絞り、Ｉは撮像面を示す。また、Ｆは光学的ローパスフィルタやＩＲカットフィルタ、固体撮像素子のシールガラス等を想定した平行平板である。第４レンズＬ４は、両面とも変曲点を有する非球面形状に形成されている。
【００７７】
図１２は、実施例４の撮像レンズの収差図（球面収差、非点収差、歪曲収差、メリディオナルコマ収差）である。
【００７８】
（実施例５）
実施例５の撮像レンズの全体緒元を以下に示す。
ｆ  ＝４．２５ｍｍ
ｆＢ＝０．５ｍｍ
Ｆ  ＝２．８
２Ｙ＝５．７４４ｍｍ
ＥＮＴＰ＝０ｍｍ
ＥＸＴＰ＝−２．５３ｍｍ
Ｈ１＝−１．７ｍｍ
Ｈ２＝−３．７４ｍｍ
実施例５の撮像レンズの面データを以下に示す。
面番号          Ｒ(mm)      Ｄ(mm)      Ｎｄ      νｄ    有効半径(mm)
１（絞り）      ∞        -0.12                           0.76
２＊           1.708       0.85     1.54330     59.9      0.78
３＊          -9.064       0.05                           0.87
４＊       -3367.453       0.40     1.63200     23.4      0.90
５＊           2.491       0.54                           0.95
６＊         -28.870       0.59     1.71950     42.4      1.20
７＊          -7.120       0.40                           1.46
８＊           3.801       1.18     1.54470     56.2      1.85
９＊           2.280       0.33                           2.50
10              ∞         0.30     1.51700     64.1      2.76
11              ∞                                        2.84
非球面係数を以下に示す。
第２面
K=-0.19558E+00,A4=0.47378E-02,A6=-0.25464E-02,A8=0.10254E-01,A10=-0.28638E-02
第３面
K=-0.28073E+01,A4=0.31799E-01,A6=0.25541E-01,A8=0.40147E-01,A10=-0.14868E-01
第４面
K=-0.30000E+02,A4=-0.29175E-02,A6=0.58314E-01,A8=0.22460E-01,A10=-0.20863E-01
第５面
K=-0.11892E+02,A4=0.83051E-01,A6=-0.30863E-02,A8=0.16106E-01
第６面
K=-0.30000E+02,A4=-0.45131E-01,A6=0.35525E-01,A8=-0.27248E-01,A10=0.33274E-01,
A12=-0.32810E-01,A14=0.17229E-01,A16=-0.41975E-02
第７面
K=0.17815E+02,A4=-0.11260E+00,A6=0.92401E-01,A8=-0.48941E-01,A10=0.19456E-01,
A12=0.28567E-02,A14=-0.49511E-02,A16=0.10359E-02
第８面
K=-0.94823E+01,A4=-0.16731E+00,A6=0.47192E-01,A8=-0.35689E-02,A10=0.44662E-04,
A12=-0.29188E-04,A14=-0.31353E-05,A16=0.76161E-06
第９面
K=-0.50101E+01,A4=-0.59678E-01,A6=0.15144E-01,A8=-0.32418E-02,A10=0.35812E-03,
A12=-0.96553E-05,A14=-0.26750E-05,A16=0.26273E-06
実施例５の撮像レンズの単レンズデータを以下に示す。
レンズ    始面    焦点距離(mm)
１       ２        2.722
２       ４       -3.939
３       ６       12.987
４       ８      -14.380
実施例５において、第１レンズ、第３レンズはガラス材料、第２レンズ、第４レンズはプラスチック材料から形成されている。
【００７９】
図１３は、実施例５の撮像レンズの断面図である。図中Ｌ１は第１レンズ、Ｌ２は第２レンズ、Ｌ３は第３レンズ、Ｌ４は第４レンズ、Ｓは開口絞り、Ｉは撮像面を示す。また、Ｆは光学的ローパスフィルタやＩＲカットフィルタ、固体撮像素子のシールガラス等を想定した平行平板である。第４レンズＬ４は、両面とも変曲点を有する非球面形状に形成されている。
【００８０】
図１４は、実施例５の撮像レンズの収差図（球面収差、非点収差、歪曲収差、メリディオナルコマ収差）である。
【００８１】
（実施例６）
実施例６の撮像レンズの全体緒元を以下に示す。
ｆ  ＝４．６９ｍｍ
ｆＢ＝０．６９ｍｍ
Ｆ  ＝２．８
２Ｙ＝５．７４４ｍｍ
ＥＮＴＰ＝０ｍｍ
ＥＸＴＰ＝−２．４２ｍｍ
Ｈ１＝−２．４ｍｍ
Ｈ２＝−４．０１ｍｍ
実施例６の撮像レンズの面データを以下に示す。
面番号          Ｒ(mm)      Ｄ(mm)      Ｎｄ      νｄ    有効半径(mm)
１（絞り）      ∞        -0.12                           0.84
２＊           1.649       0.89     1.54820     57.8      0.90
３＊          -7.877       0.05                           0.93
４＊          81.888       0.40     1.63200     23.4      0.95
５＊           2.187       0.60                           0.95
６＊         -11.890       0.42     1.95000     15.0      1.15
７＊          -8.697       0.86                           1.36
８＊           2.872       0.68     1.77300     43.4      2.14
９＊           2.048       0.27                           2.38
10              ∞         0.30     1.51700     64.1      2.64
11              ∞                                        2.70
非球面係数を以下に示す。
第２面
K=-0.19113E+00,A4=0.63075E-02,A6=-0.68404E-02,A8=0.11537E-01,A10=-0.30485E-02
第３面
K=-0.94823E+00,A4=0.37922E-01,A6=0.11944E-01,A8=0.24477E-01,A10=-0.76518E-03
第４面
K=0.50000E+02,A4=-0.12917E-01,A6=0.57007E-01,A8=0.25777E-01,A10=-0.19026E-01
第５面
K=-0.10354E+02,A4=0.80355E-01,A6=-0.18209E-02,A8=0.37905E-01
第６面
K=0.48122E+02,A4=-0.72219E-01,A6=0.53055E-01,A8=-0.23433E-01,A10=0.31684E-01,
A12=-0.32797E-01,A14=0.17924E-01,A16=-0.50675E-02
第７面
K=-0.48721E+02,A4=-0.10099E+00,A6=0.88722E-01,A8=-0.44758E-01,A10=0.20030E-01,
A12=0.21251E-02,A14=-0.53959E-02,A16=0.10927E-02
第８面
K=-0.29210E+01,A4=-0.16238E+00,A6=0.43309E-01,A8=-0.43725E-02,A10=0.50925E-04,
A12=0.58042E-05,A14=0.41743E-05,A16=-0.52577E-06
第９面
K=-0.96592E+01,A4=-0.78284E-01,A6=0.16447E-01,A8=-0.28848E-02,A10=0.33176E-03,
A12=-0.13808E-04,A14=-0.29573E-05,A16=0.37729E-06
実施例６の撮像レンズの単レンズデータを以下に示す。
レンズ    始面    焦点距離(mm)
１       ２        2.572
２       ４       -3.562
３       ６       32.027
４       ８      -14.418
実施例６において、第１レンズ、第３レンズ、第４レンズはガラス材料、第２レンズは、プラスチック材料から形成されている。
【００８２】
図１５は、実施例６の撮像レンズの断面図である。図中Ｌ１は第１レンズ、Ｌ２は第２レンズ、Ｌ３は第３レンズ、Ｌ４は第４レンズ、Ｓは開口絞り、Ｉは撮像面を示す。また、Ｆは光学的ローパスフィルタやＩＲカットフィルタ、固体撮像素子のシールガラス等を想定した平行平板である。第４レンズＬ４は、両面とも変曲点を有する非球面形状に形成されている。
【００８３】
図１６は、実施例６の撮像レンズの収差図（球面収差、非点収差、歪曲収差、メリディオナルコマ収差）である。
【００８４】
（実施例７）
実施例７の撮像レンズの全体緒元を以下に示す。
ｆ  ＝４．２４ｍｍ
ｆＢ＝０．４５ｍｍ
Ｆ  ＝２．８
２Ｙ＝５．７４４ｍｍ
ＥＮＴＰ＝０ｍｍ
ＥＸＴＰ＝−２．５４ｍｍ
Ｈ１＝−１．７８ｍｍ
Ｈ２＝−３．７９ｍｍ
実施例７の撮像レンズの面データを以下に示す。
面番号          Ｒ(mm)      Ｄ(mm)      Ｎｄ      νｄ    有効半径(mm)
１（絞り）      ∞        -0.12                           0.76
２＊           1.629       0.86     1.53020     68.8      0.80
３＊          26.793       0.05                           0.86
４＊           6.758       0.40     1.63200     23.4      0.88
５＊           2.267       0.52                           0.96
６＊         -12.003       0.58     1.71870     46.0      1.23
７＊          -8.652       0.41                           1.47
８＊           2.616       1.29     1.54470     56.2      1.90
９＊           2.061       0.33                           2.55
10              ∞         0.30     1.51700     64.1      2.71
11              ∞                                        2.78
非球面係数を以下に示す。
第２面
K=-0.66932E-01,A4=0.97891E-02,A6=0.38242E-02,A8=0.13826E-01,A10=-0.19725E-02
第３面
K=-0.41378E+02,A4=0.30061E-01,A6=0.38250E-01,A8=0.23994E-01,A10=0.24475E-01,
第４面
K=-0.45314E+01,A4=-0.21772E-01,A6=0.21546E-01,A8=0.25724E-01,A10=-0.40643E-02
第５面
K=-0.74804E+01,A4=0.74277E-01,A6=-0.14200E-01,A8=0.12773E-01
第６面
K=-0.49995E+02,A4=-0.29940E-01,A6=0.34126E-01,A8=-0.17090E-01,A10=0.34249E-01,
A12=-0.35383E-01,A14=0.16029E-01,A16=-0.31985E-02
第７面
K=0.10099E+02,A4=-0.12725E+00,A6=0.10722E+00,A8=-0.50677E-01,A10=0.18655E-01,
A12=0.30926E-02,A14=-0.48101E-02,A16=0.92124E-03
第８面
K=-0.97540E+01,A4=-0.14413E+00,A6=0.45979E-01,A8=-0.48556E-02,A10=0.67115E-04,
A12=-0.17123E-04,A14=0.29410E-05,A16=0.11323E-06
第９面
K=-0.27781E+01,A4=-0.72316E-01,A6=0.18294E-01,A8=-0.33570E-02,A10=0.30638E-03,
A12=-0.50738E-05,A14=-0.15093E-05,A16=0.98637E-07
実施例７の撮像レンズの単レンズデータを以下に示す。
レンズ    始面    焦点距離(mm)
１       ２        3.233
２       ４       -5.589
３       ６       40.215
４       ８      -98.702
実施例７において、第１レンズ、第３レンズはガラス材料、第２レンズ、第４レンズは、プラスチック材料から形成されている。
【００８５】
図１７は、実施例７の撮像レンズの断面図である。図中Ｌ１は第１レンズ、Ｌ２は第２レンズ、Ｌ３は第３レンズ、Ｌ４は第４レンズ、Ｓは開口絞り、Ｉは撮像面を示す。また、Ｆは光学的ローパスフィルタやＩＲカットフィルタ、固体撮像素子のシールガラス等を想定した平行平板である。第４レンズＬ４は、両面とも変曲点を有する非球面形状に形成されている。
【００８６】
図１８は、実施例７の撮像レンズの収差図（球面収差、非点収差、歪曲収差、メリディオナルコマ収差）である。
【００８７】
（実施例８）
実施例８の撮像レンズの全体緒元を以下に示す。
ｆ  ＝４．２５ｍｍ
ｆＢ＝０．５２ｍｍ
Ｆ  ＝２．８
２Ｙ＝４．５ｍｍ
ＥＮＴＰ＝０ｍｍ
ＥＸＴＰ＝−２．４３ｍｍ
Ｈ１＝−１．８８ｍｍ
Ｈ２＝−３．７３ｍｍ
実施例８の撮像レンズの面データを以下に示す。
面番号          Ｒ(mm)      Ｄ(mm)      Ｎｄ      νｄ    有効半径(mm)
１（絞り）      ∞        -0.12                           0.76
２＊           1.632       0.90     1.54470     56.2      0.78
３＊          -5.290       0.08                           0.82
４＊         -24.485       0.40     1.63200     23.4      0.83
５＊           1.929       0.47                           0.86
６＊          76.033       0.49     1.63200     23.4      1.03
７＊          -7.825       0.68                           1.16
８＊           2.357       0.74     1.54470     56.2      1.61
９＊           1.663       0.29                           1.93
10              ∞         0.30     1.51700     64.1      2.02
11              ∞                                        2.08
非球面係数を以下に示す。
第２面
K=-0.18263E+00,A4=0.60614E-02,A6=-0.16310E-02,A8=0.10010E-01,A10=-0.14419E-02
第３面
K=-0.22373E+02,A4=0.43087E-01,A6=0.39306E-02,A8=0.30786E-01,A10=0.10066E-01
第４面
K=-0.37976E+02,A4=-0.19522E-01,A6=0.59422E-01,A8=0.19225E-01,A10=-0.10632E-01
第５面
K=-0.88621E+01,A4=0.78439E-01,A6=-0.58935E-02,A8=0.40187E-01
第６面
K=0.42137E+02,A4=-0.61348E-01,A6=0.47285E-01,A8=-0.23169E-01,A10=0.33442E-01,
A12=-0.31659E-01,A14=0.18246E-01,A16=-0.41928E-02
第７面
K=-0.29201E+02,A4=-0.10507E+00,A6=0.96724E-01,A8=-0.45303E-01,A10=0.19166E-01,
A12=0.27267E-02,A14=-0.43324E-02,A16=0.64851E-03
第８面
K=-0.57181E+01,A4=-0.15300E+00,A6=0.42909E-01,A8=-0.39027E-02,A10=0.19072E-03,
A12=-0.18367E-04,A14=0.18752E-04,A16=-0.48554E-05
第９面
K=-0.50541E+01,A4=-0.79406E-01,A6=0.17082E-01,A8=-0.34488E-02,A10=0.27112E-03,
A12=0.51587E-05,A14=0.17508E-05,A16=-0.86608E-07
実施例８の撮像レンズの単レンズデータを以下に示す。
レンズ    始面    焦点距離(mm)
１       ２        2.400
２       ４       -2.813
３       ６       11.251
４       ８      -16.597
実施例８において、全てのレンズはプラスチック材料から形成されている。
【００８８】
図１９は、実施例８の撮像レンズの断面図である。図中Ｌ１は第１レンズ、Ｌ２は第２レンズ、Ｌ３は第３レンズ、Ｌ４は第４レンズ、Ｓは開口絞り、Ｉは撮像面を示す。また、Ｆは光学的ローパスフィルタやＩＲカットフィルタ、固体撮像素子のシールガラス等を想定した平行平板である。第４レンズＬ４は、両面とも変曲点を有する非球面形状に形成されている。
【００８９】
図２０は、実施例８の撮像レンズの収差図（球面収差、非点収差、歪曲収差、メリディオナルコマ収差）である。
【００９０】
上記の実施例１〜８に示す撮像レンズの、条件式（１）、（２）、（３）、（４）に対応する値を以下に示す。
条件式      （１）      （２）      （３）      （４）
ｆ／ｆ３    ｄ６／ｆ      ν２        ν３
実施例１      0.40        0.18        23.4        23.40
実施例２      0.30        0.17        30.0        32.10
実施例３      0.34        0.18        23.4        23.40
実施例４      0.41        0.18        23.4        23.40
実施例５      0.33        0.09        23.4        42.30
実施例６      0.15        0.18        23.4        15.00
実施例７      0.11        0.10        23.4        46.00
実施例８      0.38        0.16        23.4        23.40
また、上記の実施例１〜８に示す撮像レンズの、条件式（５）、（６）、（７）、（８）に対応する値を以下に示す。
条件式      （５）      （６）      （７）      （８）
ｎ２        ｎ３    ｆ／|ｆ34|    Ｌ／２Ｙ
実施例１      1.63        1.63        0.10        0.85
実施例２      1.70        1.63        0.04        0.89
実施例３      1.63        1.63        0.10        0.84
実施例４      1.63        1.63        0.02        0.90
実施例５      1.63        1.72        0.10        0.89
実施例６      1.63        1.95        0.15        0.90
実施例７      1.63        1.72        0.09        0.90
実施例８      1.63        1.63        0.20        1.08
【符号の説明】
【００９１】
Ｓ  絞り
Ｌ１  第１レンズ
Ｌ２  第２レンズ
Ｌ３  第３レンズ
Ｌ４  第４レンズ
５０  撮像装置
５１  撮像素子
５２ａ  支持基板
５２ｂ  フレキシブルプリント基板
５３  筐体
５５  鏡枠
１００  携帯電話機
【図１】
2011095301.tif 000004
【図２】
2011095301.tif 000005
【図３】
2011095301.tif 000006
【図４】
2011095301.tif 000007
【図５】
2011095301.tif 000008
【図６】
2011095301.tif 000009
【図７】
2011095301.tif 000010
【図８】
2011095301.tif 000011
【図９】
2011095301.tif 000012
【図１０】
2011095301.tif 000013
【図１１】
2011095301.tif 000014
【図１２】
2011095301.tif 000015
【図１３】
2011095301.tif 000016
【図１４】
2011095301.tif 000017
【図１５】
2011095301.tif 000018
【図１６】
2011095301.tif 000019
【図１７】
2011095301.tif 000020
【図１８】
2011095301.tif 000021
【図１９】
2011095301.tif 000022
【図２０】
2011095301.tif 000023